(57)【特許請求の範囲】
【請求項１】
複数の領域に分けられる画像センサーの色補正装置であって、
前記画像センサーの複数の画素のそれぞれから、検知信号に従って、カラー信号を生成する量子効率測定回路と、
各画素に対応する前記カラー信号を受信し、前記画像センサー上の各画素の位置を獲得すると共に、前記領域のひとつに位置する前記画素に対応する全ての前記カラー信号を平均化して、平均カラー信号を獲得するアドレッシング回路と、
前記平均カラー信号を受信して、前記複数の領域中のひとつの色補正マトリクスを獲得すると共に、前記色補正マトリクスにより、前記複数の領域中のひとつに位置する前記画素のカラー信号を補正する補正回路と、を有し、
各画素において、前記アドレッシング回路は、前記各画素と前記画像センサー中央間の距離を計算すると共に、前記計算された距離に従って、前記各画素が位置する前記領域を決定することを特徴とする色補正装置。
【請求項２】
前記領域のひとつに位置する各画素において、前記アドレッシング回路は、前記領域のひとつに位置する前記各画素の前記位置と前記カラー信号を記録すると共に、前記領域のひとつに位置する前記画素の前記カラー信号全てが既に記録されたかどうかを確認し、
前記アドレッシング回路が、前記領域のひとつに位置する前記画素の前記カラー信号全てが既に記録されたことを確認するとき、前記アドレッシング回路は、前記領域のひとつに対応する前記カラー信号を平均化して、前記平均カラー信号を獲得することを特徴とする請求項１に記載の色補正装置。
【請求項３】
複数の領域に分けられる画像センサーの色補正装置であって、
前記画像センサーの複数の画素のそれぞれから、検知信号に従って、カラー信号を生成する量子効率測定回路と、
各画素に対応する前記カラー信号を受信し、前記画像センサー上の各画素の位置を獲得すると共に、前記領域のひとつに位置する前記画素に対応する全ての前記カラー信号を平均化して、平均カラー信号を獲得するアドレッシング回路と、
前記平均カラー信号を受信して、前記複数の領域中のひとつの色補正マトリクスを獲得すると共に、前記色補正マトリクスにより、前記複数の領域中のひとつに位置する前記画素のカラー信号を補正する補正回路と、を有し、
各画素に対応する前記検知信号を受信して、前記画像センサーを照らす光源のタイプを判断すると共に、前記光源の前記タイプの判断結果にしたがって、理想の色情報信号を生成する分級回路を更に有し、
前記補正回路は、各領域の前記理想の色情報信号と前記平均カラー信号を受信し、その後、前記理想の色情報信号と前記平均カラー信号にしたがって、前記複数の領域中のひとつの色補正マトリクスを計算することを特徴とする色補正装置。
【請求項４】
前記補正回路は、
前記平均カラー信号と前記理想の色情報信号を受信すると共に、前記平均カラー信号と前記理想の色情報信号間の差異にしたがって、前記複数の領域中のひとつの前記色補正マトリクスを計算する第一計算機と、
前記複数の領域中のひとつの前記色補正マトリクスを受信すると共に、前記色補正マトリクスにより、前記複数の領域中のひとつに位置する前記画素の前記カラー信号を補正する第二計算機と、
を含むことを特徴とする請求項３に記載の色補正装置。
【請求項５】
前記補正回路は、
複数の色補正参照マトリクスを保存するメモリと、
前記平均カラー信号と前記理想の色情報信号を受信し、前記平均カラー信号と前記理想の色情報信号間の差異に従って、前記メモリから、前記色補正参照マトリクスのひとつを読み取り、前記複数の領域中のひとつの前記色補正マトリクスとなり、前記色補正マトリクスにより、前記複数の領域中のひとつに位置する前記画素の前記カラー信号を補正する計算機と、
を含むことを特徴とする請求項３に記載の色補正装置。
【請求項６】
複数の領域に分けられる画像センサーの色補正方法であって、
前記画像センサーの複数の画素のそれぞれから、検知信号を受信する工程と、
各画素に対応する前記受信された検知信号に従って、カラー信号を生成する工程と、
前記画像センサー上の各画素の位置を獲得する工程と、
前記領域のひとつに位置する前記画素に対応する前記カラー信号全て平均化して、平均カラー信号を獲得する工程と、
前記平均カラー信号に従って、前記複数の領域中のひとつの色補正マトリクスを獲得する工程と、 
前記色補正マトリクスにより、前記複数の領域中のひとつに位置する前記画素の前記カラー信号を補正する工程と、を含み、
前記画像センサー上の各画素の前記位置を獲得する前記工程は、
一画素に対して、前記各画素と前記画像センサー中央間の距離を計算する工程と、
前記計算された距離にしたがって、前記各画素が位置する前記領域を決定する工程と、
を含むことを特徴とする色補正方法。
【請求項７】
複数の領域に分けられる画像センサーの色補正方法であって、
前記画像センサーの複数の画素のそれぞれから、検知信号を受信する工程と、
各画素に対応する前記受信された検知信号に従って、カラー信号を生成する工程と、
前記画像センサー上の各画素の位置を獲得する工程と、
前記領域のひとつに位置する前記画素に対応する前記カラー信号全て平均化して、平均カラー信号を獲得する工程と、
前記平均カラー信号に従って、前記複数の領域中のひとつの色補正マトリクスを獲得する工程と、 
前記色補正マトリクスにより、前記複数の領域中のひとつに位置する前記画素の前記カラー信号を補正する工程と、
前記領域のひとつの各画素に対して、前記領域のひとつに位置する前記各画素の位置と前記カラー信号を記録する工程と、
前記領域のひとつに位置する前記画素の前記カラー信号全てが既に記録されたかどうか確認する工程と、
前記画像センサーを照らす光源のタイプを判断する工程と、 
判定結果にしたがって、理想の色情報信号を生成する工程と、
複数の色補正参照マトリクスを保存する工程と、を含み、
前記色補正マトリクスを獲得する前記工程は、
前記平均カラー信号と前記理想の色情報信号間の差異にしたがって、前記色補正参照マトリクスのひとつを選択し、前記複数の領域中のひとつの前記色補正マトリクスとする工程を含むことを特徴とする色補正方法。
【請求項８】
前記画像センサーを照らす光源のタイプを判断する工程と、 
判定結果にしたがって、理想の色情報信号を生成する工程と、
を更に含むことを特徴とする請求項６又は請求項７に記載の色補正方法。
【発明の詳細な説明】
【技術分野】
【０００１】
本発明は、色補正装置に関するものであって、特に、画素の位置に従って、色補正マトリクスを獲得する色補正装置に関するものである。
【背景技術】
【０００２】
画像センサーは画素アレイにより光源からの光線を検出し、検出された光線を電気信号に転換することに用いられる。通常、画像センサーは、色補正マトリクスで、電気信号で示される色覚エラーを補正する必要がある。しかし、色補正マトリクスは一つの特定光源だけに適用される。画像センサーが異なる空間に移動する時、画像センサーは異なる光源により照らされる。このとき、特定光源の色補正マトリクスはもう使うことができない。よって、従来の画像センサーにおいて、異なる光源に用いる幾つかの色補正マトリクスを予め決定する必要がある。
【０００３】
上述のように、従来の画像センサーはすべて、光源のタイプに基づいて、色補正マトリクスを選択、採用する。実際、画像センサーにとって、色覚エラーは、画素アレイ上の画素の異なる位置によっても異なる。画像センサーがまだ、同じ光源により照らされていても、異なる位置に配置される画素からの電気信号は、異なる色補正マトリクスなどの異なる補正パラメータを必要とする。上述の従来の画像センサーはこの問題を考慮していない。
【発明の概要】
【発明が解決しようとする課題】
【０００４】
よって、画素の位置に従って、色補正マトリクスを獲得、および、採用することができる色補正装置を提供する。
【課題を解決するための手段】
【０００５】
本発明は、画像センサーの色補正装置を提供する。画像センサーは複数の領域に分けられる。色補正装置は、量子効率 (ＱＥ)測定回路、アドレッシング回路、および、補正回路を有する。ＱＥ測定回路は、各画像センサーの複数の画素からの検知信号に従って、カラー信号を生成する。アドレッシング回路は、各画素に対応するカラー信号を受信し、画像センサー上の各画素の位置を獲得すると共に、その位置が複数の領域中のひとつにある画素に対応する全カラー信号を平均化して、平均カラー信号を獲得する。補正回路は、平均カラー信号を受信して、複数の領域中のひとつの色補正マトリクスを獲得し、色補正マトリクスにより、その位置が複数の領域中のひとつにある画素のカラー信号を補正する。
【０００６】
本発明は、さらに、画像センサーの色補正方法を提供する。画像センサーは複数の領域に分けられる。色補正方法は、画像センサーの複数の画素のそれぞれから、検知信号を受信する; 各画素の受信された検知信号に従って、カラー信号を生成する;画像センサー上の各画素の位置を獲得する;その位置が複数の領域中のひとつにある画素の全カラー信号を平均化して、平均カラー信号を獲得する; 平均カラー信号に従って、複数の領域中のひとつの色補正マトリクスを獲得する;色補正マトリクスにより、その位置が複数の領域中のひとつにある画素のカラー信号を補正する、工程を含む。
【発明の効果】
【０００７】
イメージの品質が改善される。
【図面の簡単な説明】
【０００８】
【図１】本発明の一実施形態による画像センサー装置を示す図である。
【図２】図１の画像センサーの実施形態を示す図である。
【図３】図２の分割パターンに基づいた画素アレイの主光線角（ＣＲＡ）曲線を示す図である。
【図４】本発明の一実施形態による色補正装置を示す図である。
【図５】本発明の一実施形態による図４の色補正の補正回路を示す図である。
【図６】本発明の別の実施形態による図４の色補正の補正回路を示す図である。
【図７】本発明の別の実施形態による色補正装置を示す図である。
【図８】本発明の別の実施形態による図１中の画像センサーを示す図である。
【図９】本発明の一実施形態による画像センサーの色補正方法フローチャートである。
【図１０】本発明の別の実施形態による画像センサーの色補正方法のフローチャートである。
【発明を実施するための形態】
【０００９】
図１は、一実施形態による画像センサー装置を示す図である。図１に示されるように、画像センサー装置１は、画像センサー１０と色補正装置１１を有する。画像センサー装置１は、画像センサー１０により光線を受光し、検出された光線に従って、電気カラー信号を生成することができる。画像は、電気カラー信号に従って、ディスプレーで表示される。図２は、画像センサー１０の一実施形態を示す図である。図２に示されるように、画像センサー１０は、画素アレイ２０中に配列された複数の画素２００を有する。図２中、画素アレイ２０は、互いに交錯した複数の垂線と複数の水平線により示される。一組の交錯した垂線と水平線は一画素２００を定義する。わかりやすくするため、図２は、６本の垂線と６本の水平線だけを表示し、図２中、二個の画素２００と２００２３ を示している。画像センサー１０の画素アレイ２０は、複数の関心領域 (ＲＯＩ)に分けられる。図２の実施形態において、画像センサー１０の中央Ｃ２０が定義される。画像センサー１０の画素アレイ２０は、中央Ｃ２０から、５個の距離範囲にしたがって、５個のＲＯＩ２１-２５に分けられる。よって、画素アレイ２０中の画素２００は、それぞれ、５個のＲＯＩに設置される。図２を参照すると、ＲＯＩ２１は境界Ｂ２１により定義され、そして、境界Ｂ２１上の任意の一点は、中央Ｃ２０から距離Ｄ２１離れている。ＲＯＩ２１中の任意の一画素と中央Ｃ２０間の距離は距離Ｄ２１より短い。ＲＯＩ２２が、境界Ｂ２１と境界Ｂ２２により定義され、そして、境界Ｂ２２上の任意の一点は、中央Ｃ２０から距離Ｄ２２離れている。ＲＯＩ２２中の任意の一画素と中央Ｃ２０間の距離は、距離Ｄ２１より長く、距離Ｄ２２より短い。ＲＯＩ２３は、境界Ｂ２２と境界Ｂ２３により定義され、境界Ｂ２３上の任意の一点は、中央Ｃ２０から距離Ｄ２３離れている。ＲＯＩ２３中の任意の一画素と中央Ｃ２０間の距離は、距離Ｄ２２より長く、距離Ｄ２３より短い。ＲＯＩ２４は、境界Ｂ２３と境界Ｂ２４により定義され、境界Ｂ２４上の任意の一点は、中央Ｃ２０から距離Ｄ２４離れている。ＲＯＩ２４中の任意の一画素と中央Ｃ２０間の距離は、距離Ｄ２３より長く、距離Ｄ２４より短い。さらに、画素アレイ２０中の残りの部分は、ＲＯＩ２５として定義される。ＲＯＩ２５中、ＲＯＩ２１-２４の外側に位置する画素があり、ＲＯＩ２５中の任意の一画素と中央Ｃ２０間の距離は、距離Ｄ２４より大きい。
【００１０】
図３は、図２の分割パターンに基づいた画像センサー１０の画素アレイ２０のモジュールレンズ主光線角 (ＣＲＡ)曲線３を示す図である。図３を参照すると、Ｘ軸は、画素アレイ２０中の任意の一点と中央Ｃ２０間の距離Ｄp-c を示し、Ｙ軸は、画像センサー１０が光源により照らされる時の主光線角ＣＲＡを示す。ＣＲＡ曲線３によると、中央Ｃ２０からの異なる距離は、主光線角ＣＲＡの異なる値に対応する。この実施形態をわかりやすく説明するため、図３は、さらに、点線、および、距離の素子符号Ｄ２１−Ｄ２４とＲＯＩ ２１−２５により、主光線角ＣＲＡとＲＯＩ２１-２５間の関係を示す。
【００１１】
図４は、色補正装置１１の一実施形態を示す図である。図４に示されるように、色補正装置１１は、量子効率 (ＱＥ)測定回路４０、アドレッシング回路４１、分級回路４２、および、補正回路４３を有する。色補正装置１１の操作を説明するため、図４は、さらに、画像センサー１０を示す。図２と図４を参照すると、画像センサー１０が光源１２により照らされるとき、画素アレイ２０中の画素２００は、それぞれ、対応する検知信号Ｓ１０を生成する。その後、色補正プロセスが開始される。色補正プロセスにおいて、ＱＥ測定回路４０は、各画素２００から検知信号Ｓ１０を受信すると共に、受信された検知信号Ｓ１０に従って、対応するカラー信号Ｓ４０を生成する。一実施形態において、ＱＥ測定回路４０は、画像センサー１０のＱＥスペクトルを検出するのに用いられる。たとえば、ＱＥ測定回路４０は、一画素２００に進入する光子数量、および、同じ画素２００からの対応する検知信号Ｓ１０中の電子の数量を測量すると共に、測定結果に応じて、対応するカラー信号Ｓ４０を生成する。アドレッシング回路４１は、各画素２００に対応するカラー信号Ｓ４０を受信する。アドレッシング回路４１は、さらに、画素アレイ２０上の画素２００のアドレス情報上で、画素２００を示すアドレス信号 Ｓadd を受信する。よって、アドレッシング回路４１は、アドレス信号 Ｓadd に従って、画素アレイ２０上の各画素２００の位置を獲得することができる。アドレッシング回路４１は、前もって、画素アレイ２０の分割パターンの情報を獲得する。画素２００のひとつの位置を獲得する時、アドレッシング回路４１は、同じ画素２００と中央Ｃ２０間の距離の計算を開始し、計算された距離に従って、同じ画素２００が配置されるＲＯＩを決定する。別の実施形態において、アドレッシング回路４１は、計算された距離に従って、同じ画素２００が配置されるＲＯＩ、および、同じ画素２００の座標を決定することができる。その後、アドレッシング回路４１は、受信したカラー信号Ｓ４０、および、各画素２００の獲得位置を記録する。たとえば、アドレッシング回路４１により計算される画素２００２３ と中央Ｃ２０間の距離が、距離Ｄ２２より長く、且つ、距離Ｄ２３より短い時、アドレッシング回路４１は、画素２００２３ が配置されるＲＯＩ２３を判断する。対応するカラー信号Ｓ４０を受信すると共に、画素２００２３の位置を獲得した後、アドレッシング回路４１は、レジスタ、または、メモリ中に、受信されたカラー信号Ｓ４０、および、画素２００２３ の獲得位置を記録する。 
【００１２】
色補正プロセスが始まって一定時間後、アドレッシング回路４１は、その位置がＲＯＩ２１-２５のひとつにある画素２００の全カラー信号Ｓ４０が既に記録されたかどうか確認を開始する。たとえば、アドレッシング回路４１は、その位置がＲＯＩ２３に位置する画素２００の全カラー信号Ｓ４０が既に記録されたかどうか確認する。アドレッシング回路４１が、ＲＯＩ２３中の画素２００のカラー信号Ｓ４０が既に記録されたと確認したとき、アドレッシング回路４１は、ＲＯＩ２３中の画素２００のカラー信号Ｓ４０を平均化して、平均カラー信号Ｓ４１を獲得する。さらに、アドレッシング回路４１は、さらに、上述の確認と平均化操作を、別のＲＯＩ２１-２２と２４-２５の少なくともひとつに実行して、対応する平均カラー信号Ｓ４１を得る。
【００１３】
図４を参照すると、分級回路４２は、さらに、画素２００の検知信号Ｓ１０ を受信する。分級回路４２は、受信された検知信号Ｓ１０にしたがって、どのような光源１２を決定し、光源１２の判断結果に従って、理想の色情報信号Ｓ４２を生成する。この実施形態において、理想の色情報信号Ｓ４２は、理想のカラーパッチスペクトルを表す。ＲＯＩ２３の平均カラー信号Ｓ４１と理想の色情報信号Ｓ４２の獲得後、補正回路４３は、ＲＯＩ２３の平均カラー信号Ｓ４１、および、理想の色情報信号Ｓ４２を受信し、その後、ＲＯＩ２３の平均カラー信号Ｓ４１、および、理想の色情報信号Ｓ４２に従って、ＲＯＩ２３の色補正マトリクスを獲得する。
【００１４】
図５は、補正回路４３の一実施形態を示す図である。図５に示されるように、補正回路４３は、計算機５０と計算機５１を有する。計算機５０は、ＲＯＩ２３の平均カラー信号Ｓ４１、および、理想の色情報信号Ｓ４２を受信すると共に、ＲＯＩ２３の平均カラー信号Ｓ４１と理想の色情報信号Ｓ４２間の差異にしたがって、ＲＯＩ２３の対応する色補正マトリクスＳ５０を計算する。計算機５１は、ＲＯＩ２３の計算された色補正マトリクスＳ５０を受信し、さらに、ＲＯＩ２３中の画素２００のカラー信号Ｓ４０を受信する。その後、計算機５１は、計算された色補正マトリクスＳ５０により、ＲＯＩ２３中の画素２００のカラー信号Ｓ４０を補正する。 
【００１５】
図６は、補正回路４３の別の実施形態を示す図である。図６を参照すると、補正回路４３は、メモリ６０と計算機６１を有する。メモリ６０は、複数の色補正参照マトリクスを保存する。計算機６１は、ＲＯＩ２３の平均カラー信号Ｓ４１と理想の色情報信号Ｓ４２を受信すると共に、ＲＯＩ２３の平均カラー信号Ｓ４１、および、理想の色情報信号Ｓ４２間の差異にしたがって、メモリ６０から、対応する色補正参照マトリクスを読み取り、ＲＯＩ２３の色補正マトリクスＳ６０とする。計算機６１は、色補正マトリクスＳ６０を獲得後、計算機６１は、計算された色補正マトリクスＳ６０により、ＲＯＩ２３中、画素２００のカラー信号Ｓ４０を補正する。 
【００１６】
図５と図６の実施形態において、ＲＯＩ２３中の画素２００のカラー信号Ｓ４０の補正を説明するために、ＲＯＩ２３を例としてあげた。しかし、別のＲＯＩ２１−２２と２４−２５のそれぞれの画素２００のカラー信号Ｓ４０は、図５または図６の補正回路の補正動作によっても補正することができる。これは同じ補正操作であるので、説明は省略する。
【００１７】
別の実施形態において、図７に示されるように、色補正装置１１は、さらに、自動ホワイトバランス（ＡＷＢ）回路７０を有する。図７を参照すると、ＡＷＢ回路７０は、ＱＥ測定回路４０とアドレッシング回路４１間に結合される。ＡＷＢ回路７０は、各画素２００のカラー信号Ｓ４０を受信すると共に、ホワイトバランス操作を、受信したカラー信号Ｓ４０に実行する。ＡＷＢ回路７０により処理される各画素２００のカラー信号Ｓ４０が、アドレッシング回路４１に送信される。
【００１８】
上述の実施形態によると、画素２００、たとえば、画像センサー１０のＲＯＩ２１−２５の位置に従って、色補正マトリクスの決定が実行される。よって、異なる位置に設置された画素４０のカラー信号Ｓ４０が適切に補正される。補正されたカラー信号Ｓ４０にしたがって生成されたイメージの品質が改善される。
【００１９】
図２の上述の実施形態において、画像センサー１０の画素アレイ２０は、中央Ｃ２０からの５個の距離範囲にしたがって、５個のＲＯＩ ２１−２５に分けられる。しかし、別の実施形態において、画像センサー１０の画素アレイ２０は、別のパターンに基づいて、幾つかのＲＯＩに分けられる。図８は、画像センサー１０の別の実施形態を示す図である。図８に示されるように、画像センサー１０の画素アレイ２０は、９個の長方形に従って、９個のＲＯＩ８１−８９に分けられる。アドレッシング回路４１は、前もって、画素アレイ２０の分割パターンの情報を獲得し、よって、アドレッシング回路４１は、アドレッシング信号Ｓaddにしたがって、一画素２００が配置されるＲＯＩを決定することができる。
【００２０】
図９は、代表的な実施形態による画像センサーの色補正方法のフローチャートである。以下で、たとえば、色補正方法が、図４の画像センサー１０に適用される。色補正方法は、図２、図４、および、図９を参照することにより説明される。画像センサー１０は、光源１２により照らされ、そして、画像センサー１０の各画素２００は検知信号Ｓ１０を生成する。まず、ＱＥ測定回路４０は、各画素２００の検知信号Ｓ１０を受信し (ステップＳ９０)、その後、各画素２００の受信信号に従って、対応するカラー信号Ｓ４０を生成する(ステップＳ９１)。その後、画像センサー１０上の各画素２００の位置が獲得される。一実施形態において、各画素２００に対し、アドレッシング回路４１は、画素２００と中央Ｃ２０間の距離を計算し (ステップＳ９２)、計算された距離に従って、同じ画素２００が配置されるＲＯＩを決定する (ステップＳ９３)。 
【００２１】
その後、アドレッシング回路４１は、特定のＲＯＩに位置する画素２００の位置とカラー信号Ｓ４０を記録すると共に(ステップＳ９４)、特定のＲＯＩ中に位置する画素２００の全カラー信号Ｓ４０が既に記録されたかどうか確認する (ステップＳ９５)。アドレッシング回路４１が、特定のＲＯＩ中に位置する画素２００の全カラー信号Ｓ４０がまだ記録されていないことを確認したとき、色補正方法はステップ Ｓ９４に戻る。アドレッシング回路４１が、特定のＲＯＩ中の画素２００のカラー信号Ｓ４０が既に記録されていることを確認したとき、アドレッシング回路４１は、特定のＲＯＩ中の画素２００のカラー信号Ｓ４０を平均化して、平均カラー信号Ｓ４１を獲得する (ステップ９６)。さらに、アドレッシング回路４１は、上述のステップ Ｓ９４−Ｓ９６を、別のＲＯＩの少なくともひとつに実行して、対応する平均カラー信号Ｓ４１を獲得する。
【００２２】
ステップＳ９０−Ｓ９６の実行期間中の任意の時点で、分級回路４２は光源１２のタイプを判断し、そして、光源１２の判断結果に従って、理想の色情報信号Ｓ４２を生成する(ステップＳ９７)。特定のＲＯＩの平均カラー信号Ｓ４１と理想の色情報信号Ｓ４２が獲得された後、補正回路４３は、特定のＲＯＩの平均カラー信号Ｓ４１と理想の色情報信号Ｓ４２間の差に従って、特定のＲＯＩの色補正マトリクスを計算する(ステップＳ９８)。その後、補正回路４３は、計算された色補正マトリクスにより、特定のＲＯＩ中の画素００のカラー信号Ｓ４０を補正する (ステップＳ９９)。上述の記述によると、ステップＳ９７は、ステップＳ９８が実行される前いつでも実行することができる。
【００２３】
図１０は、別の代表的な実施形態による画像センサーの色補正方法のフローチャートである。図１０の実施形態のステップも、図９の実施形態のステップと同じである。しかし、追加で、ステップＳ１００とステップＳ１０１があり、ステップ１０１がステップＳ９７を代替する。ステップＳ１００において、複数の色補正参照マトリクスがメモリ６０に保存される。ステップＳ１０１において、補正回路４３は、特定のＲＯＩの平均カラー信号Ｓ４１と理想の色情報信号Ｓ４２間の差異にしたがって、メモリ６０から、色補正参照マトリクスのひとつを選択し、特定のＲＯＩの色補正マトリクスとする。図１０の実施形態において、ステップＳ１００はステップ Ｓ９０の前に実行されているが、これに限定されない。別の実施形態において、ステップＳ１００は、ステップＳ１０１が実行される前いつでも実行することができる。
【００２４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００２５】
１〜画像センサー装置；
１０〜画像センサー；
１１〜色補正装置；
２０〜画素アレイ；
２１…２５〜ＲＯＩ；
２００、２００２３〜画素；
C２０〜中心；
B２１…B２４〜境界；
D２１…D２４〜距離；   
３〜主光線角 (ＣＲＡ)曲線；
１２〜光源；
４０〜量子効率 (ＱＥ)測定回路；
４１〜アドレッシング回路；
４２〜分級回路；
４３〜補正回路；
Ｓ１０〜検知信号；
Ｓ４０〜カラー信号；
Ｓ４１〜平均カラー信号；
Ｓ４２〜理想の色情報信号；
５０、５１〜計算器；
６０〜メモリ；
６１〜計算器；
７０〜自動ホワイトバランス (ＡＷＢ)回路；
８１…８９〜ＲＯＩ；
Ｓ９０…Ｓ９９〜工程；
Ｓ９０…Ｓ９７、Ｓ９９、Ｓ１００、Ｓ１０１〜工程
【図１】
0005913506.tif 000002
【図２】
0005913506.tif 000003
【図３】
0005913506.tif 000004
【図４】
0005913506.tif 000005
【図５】
0005913506.tif 000006
【図６】
0005913506.tif 000007
【図７】
0005913506.tif 000008
【図８】
0005913506.tif 000009
【図９】
0005913506.tif 000010
【図１０】
0005913506.tif 000011